(57)【特許請求の範囲】
【請求項１】
本体ケースの対峙する一対の取付ベース間に支持された駆動軸に、駆動軸の回転に応じて所定の動作をする施療ローラを取り付け、該施療ローラの外側を、前記一対の取付ベースに形成した取付フランジに相対向する２辺を拘束して取り付けた方形状カバーシートで覆ったものにおいて、カバーシートの前記２辺に取り付けた紐を前記取付フランジ上に締め付けてカバーシートの前記２辺を拘束してなり、前記本体ケースには、前記紐の両端部の締め付け処理部を収納する凹部を形成すると共に、前記凹部に収納された前記締め付け処理部を覆い隠し、且つカバーシートに設けた係止穴と係合してカバーシートの動きを規制する蓋を設けてなるマッサージ機。
【請求項２】
前記紐の締め付け処理にコードストッパーを用いてなる請求項１記載のマッサージ機。
【請求項３】
前記蓋は、前記凹部の開口縁にその一端側を回動自在に枢支し、その他端側には、カバーシートに設けた前記係止穴を介して本体ケースと係合する係合爪を設けてなる請求項１又は請求項２記載のマッサージ機。
【請求項４】
前記カバーシートの前記駆動軸と平行な両端部は、ファスナーで連結してなる請求項１乃至請求項３のいづれかに記載のマッサージ機。
【請求項５】
連結状態にある前記ファスナーの端部に位置する摘みをも前記凹部に収納してなる請求項４記載のマッサージ機。
【発明の詳細な説明】
【０００１】
【発明の属する技術分野】
本発明は、駆動軸の回転に応じて動作する施療ローラに押し当てた被施療部位に所定の刺激を与えてマッサージするマッサージ機に関し、更に詳しくは、施療ローラの外側を覆うカバーシートの取付構造に関する。
【０００２】
【従来の技術】
従来、この種マッサージ機として、例えば実公平７−４９９４３号公報には、本体ケースに設けた対峙する一対の取付ベース間に駆動軸が支持され、この駆動軸に、駆動軸の回転に応じて所定の動作をする施療ローラが取り付けられ、この施療ローラの外側を、前記一対の取付ベースに形成した取付フランジに相対向する２辺を拘束して取り付けた方形状カバーシートで覆ったものが開示されている。
【０００３】
施療ローラとしては、駆動軸と共に回転し多数の刺激用突部を有する回転ローラや、駆動軸に対して相反する方向に傾斜して取り付けられ、駆動軸の回転によりその間隔が変化する一対の揉みローラを備えており、カバーシートを介して回転ローラ上に足等の被施療部位を載せることにより、刺激用突部にて刺激を与えてマッサージしたり、一対の揉みローラ間に被施療部位を挿入することにより施療部位を挟み揉みするようになっている。
【０００４】
前記カバーシートは方形状に裁断された布製のシート材が一般的に用いられるが、このカバーシートの取り付けは、取付フランジに拘束される相対向する２辺に取り付けられた紐の両端部を、この２辺を取付フランジに沿わせるように施療ローラの外側にカバーシートを被せた上で締め付け、またカバーシートの残りの２辺をファスナー等により結合することにより行われている。
【０００５】
このようなカバーシートの取り付け方は、着脱が簡単ではあるが、紐の締め付けが不充分であると運転中に紐がほどけたり、また、充分に締め付けたとしても、カバーシートと本体ケースとの固定がないため、運転中にカバーシートが施療ローラに追随して回転しやすく、正規の位置からの位置ズレが避けらず、位置ズレが生ずるとマッサージの感触が低下したり、ファスナーが外れてしまうといった問題があった。また、紐の締め付け部分が外部に露出して見栄えが良くないという問題もあった。
【０００６】
【発明が解決しようとする課題】
本発明は、カバーシートの取り付け、取り外しが簡単にできると共に、使用中に位置ズレしたり外れたりすることなく安定した取り付け状態を保つことができ、また見栄えも優れたマッサージ機を提供することを課題とする。
【０００７】
【課題を解決するための手段】
本発明は、本体ケースの対峙する一対の取付ベース間に支持された駆動軸に、駆動軸の回転に応じて所定の動作をする施療ローラを取り付け、この施療ローラの外側を、上記一対の取付ベースに形成した取付フランジに相対向する２辺を拘束して取り付けた方形状カバーシートで覆うもので、カバーシートの前記２辺に取り付けた紐を前記取付フランジ上に締め付けてカバーシートの上記２辺を拘束し、本体ケースには、上記紐の両端部の締め付け処理部を収納する凹部を形成すると共に、前記凹部に収納された前記締め付け処理部を覆い隠し、且つカバーシートに設けた係止穴と係合してカバーシートの動きを規制する蓋を設けたものである。
【０００８】
かかる構成により、カバーシートの２辺を拘束する紐は、凹部内に収納され且つ蓋で覆い隠されているので、外から見えず見栄えが良くなると共に、蓋がカバーシートの動きを規制することによって、カバーシートが施療ローラの回転に追随して回転しようとするのを阻止でき、カバーシートが運転中に位置ズレを起こすことがない。
【０００９】
ここで、前記紐の締め付け処理に周知のコードストッパーを用いれば、紐の締め付けやその解除が簡単にできる。
【００１０】
また、前記蓋は、凹部の開口縁にその一端側を回動自在に枢支し、その他端側には、カバーシートに設けた係止穴を介して本体ケースと係合する係合爪を設けけるとよい。
【００１１】
かかる構成により、蓋は回動という簡単な操作で取り付けることができ、この際に同時にカバーシートと係合してカバーシートの位置ズレを阻止することができる。
【００１２】
また、カバーシートの前記駆動軸と平行な両端部をファスナーで連結すれば、紐の締め付けと相まってカバーシートを簡単に装着できる。
【００１３】
この際、連結状態にある前記ファスナーの端部に位置する摘みをも前記凹部に収納すれば、一層見栄えを良くできる。
【００１６】
【発明の実施の形態】
本発明のマッサージ機を一実施例として示した図１乃至図１０に基づき説明する。１は平面形状がコ字型をした合成樹脂製の本体ケースで、上下２分割可能に構成されている。この本体ケース１の対峙する一対の取付ベース２、３間に後述する施療ローラとなる揉みローラと回転ローラが装備される。本体ケース１の取付ベース２、３を連結する部分はハンドル４となる。５は本体ケースを床面に設置するための脚で、本体ケース１の下面四隅にある。
【００１７】
取付ベース３内には、モータ６が配設されている。モータ６は防振用ゴム７を介して取付金具８により取付ベース３に固定される。このモータ６の駆動力は、ウォーム１２、ウォームホイール１１の減速装置を介して駆動軸９に伝達される。１０は減速装置を収納するギアケースである。ウォームホイール１１は駆動軸９に固定され、ウォーム１２は、モータ６の軸に連結固定されている。１３はモータ６を制御するための制御部、１４は電源コードを示す。
【００１８】
前記駆動軸９は取付ベース２、３の対峙壁間に、軸受１５、１５でもって回転自在に支持されている。軸受１５，１５は、上側と下側の本体ケース１間に挟持される。
【００１９】
前記駆動軸９の中央部には、回転ローラ１６が取り付けられている。回転ローラ１６は、駆動軸９に固定された一対の支持筒１７、１７と、この支持筒１７の外側に周設された支持フランジ１８、１８と、この支持フランジ１８、１８間に周方向に等配をなして架設支持された複数本のローラ軸１９とを備え、このローラー軸１９に刺激用突部となる刺激用玉２０が回転自在に支持されている。２１は刺激用玉２０の位置がずれないようにするためのスペーサで、ローラ軸１９に回転自在に支持されている。ローラ軸１９には、両側の二つの刺激用玉２０、２０と中央の一つのスペーサ２１が支持されたものと、中央の一つの刺激用玉２０と両側の二つスペーサ２１、２１が支持されたものが支持フランジ１８の周方向に交互に配設されている。
【００２０】
駆動軸９の回転により回転ローラ１６が回転し、刺激用玉２０は、自転しながら駆動軸９の周りを公転し、例えば足裏等の被施療部位を刺激してマッサージする。
【００２１】
駆動軸９の回転ローラ１６の両外側には、二組の相反する方向に傾斜した一対の揉みローラ２２ａ、２２ｂ、及び２２ｃ、２２ｄが取り付けられている。（以下図１で左側の組の揉みローラ２２ａ、２２ｂを総称して２２Ｌ、右側の揉みローラ２２ｃ、２２ｄを総称して２２Ｒと夫々いう）各揉みローラ２２ａ〜２２ｄは、駆動軸９に対して回転方向に固定されて駆動軸９と一体に回転する揉み基台２３と、揉み基台２３の外周に複数の鋼球２４を介して回転自在に装着された遊転部２５から構成される。遊転部２５は、鋼球２４に対する摺動面を夫々有する外側環状押さえ板２６と、内側環状押さえ板２７と、これら両環状押さえ板２６、２７により挟持される弾性体からなる揉み体２８とから構成される。内側環状押さえ板２７には、図５に示すように、大小大きさの異なる２種類の開口５０が周方向に交互に配列され、この開口５０より揉み体２８に形成された大小大きさの異なる２種類の弾性突部２９が突出している。
【００２２】
そこで駆動軸９が回転すると、揉み基台２３は回転するが、遊転部２５は、足等の被施療部位を一対の遊転部２５、２５間に挿入するなどして負荷が加わった状態になると、鋼球２４の転動を伴って非回転状態を保ち、鋼球２４の摺動面が駆動軸９の軸線と平行でなく傾斜しているので、駆動軸９に対する傾倒角度を変えて、その対向面を接近離反する動作を繰り返す。従って、この間に挟まれた被施療部位を揉みマッサージすることができる。前記突部２９はこの際被マッサージ部位を押圧する。
【００２３】
ところで、各組の揉みローラ２２Ｌと２２Ｒの一対の揉みローラ間に置かれた両足等の被施療部位が、揉み体２８によって同時に圧迫されることのないように、一方の組の揉みローラ２２Ｌを構成する揉みローラ２２ａ、２２ｂの間隔が広い（狭い）とき、他方の組の揉みローラ２２Ｒを構成する揉みローラ２２ｃ、２２ｄの間隔が狭く（広く）なるようにその傾斜の位相差が１８０度づれている。その結果、被施療部位は交互に圧迫される。
【００２４】
駆動軸９の各組の一対の揉みローラ２２ａ、２２ｂ及び２２ｃ、２２ｄ間には、駆動軸９により回転される筒状のスペーサ３２が取り付けられ、このスペーサ３２によって、被施療部位が揉みローラ２２ａ、２２ｂ間及び２２ｃ、２２ｄ間に深く侵入しすぎないように保護している。このスペーサ３２には、球体３３が軸３４により回転自在に取り付けられ、この球体３３によって例えば各組の揉みローラ２２Ｌ、２２Ｒで足を揉みながら足裏を刺激することができる。
【００２５】
また、各一対の揉みローラ２２ａ、２２ｂ、２２ｃ、２２ｄのうち、外側の揉みローラ２２ａ、２２ｄの揉み基台２３は駆動軸９に対しその回転方向のみならず軸方向にも固定されているが、各内側の揉みローラ２２ｂ、２２ｃの揉み基台２３は、軸方向には摺動可能になっている。そして、この各内側の揉みローラ２２ｂ、２２ｃの揉み基台２３と回転ローラ１６の支持筒１７との間には、揉み基台２３を常時外側へ付勢するコイルスプリング３１が介在されている。図１は各内側の揉みローラ２２ｂ、２２ｃが最も外側に位置し、一対の揉みローラ２２ａ、２２ｂ及び２２ｃ、２２ｄ間の間隔が最も狭くなった状態である。
【００２６】
そこで、例えば足を各組の揉みローラ２２Ｌ、２２Ｒで揉む場合、足幅が広い場合には、内側の揉みローラ２２ｂ、２２ｃが弾性体３１に抗してマッサージ機の中心側へ退避し、一対の各組の揉みローラ２２Ｌ、２２Ｒを構成する各揉みローラ間の間隔を拡げ、被施療部位である足に過大な圧力が加わることを防止できる。
【００２７】
ところで、取付ベース２や３とこれと対面する揉みローラ２２ａ、２２ｄとの間に指等が挿入されないように、取付ベース２や３より一体に、取付ベース２や３と揉みローラ２２ａ、２２ｄとの間隙を覆い隠すようなカバー３６が形成されている。詳述すると、取付ベース２、３の相対向する面より短寸の筒体５１を駆動軸９と平行に突設し、この筒体５１の先端に周設された取付フランジ５２の周縁より駆動軸９と平行に上記カバー３６が延設されている。このカバー３６は、その上半分３６ａが揉みローラ２２ａ、２２ｄの最大径より大きな直径の半円筒状になっている。
【００２８】
又このカバー３６は、上下２分割構成とした本体ケース１の上側取付ベースに下半分が開放した上記半円筒状のカバー３６ａを一体成形し、下側取付ベースに上側を開放したカバー３６ｂを一体成形して、上下２分割された本体ケースを組み立てる際に、カバー３６が同時に構成されるようにしている。
【００２９】
また、左右にある下側のカバー３６ｂの下辺３６ｃどうしは、連結板５３で連結されている（図３、図５参照）。連結板は下辺３６ｃと一体に形成されている。このようにすることにより、左右の取付ベース２、３間が補強され、本体ケース１の補強になる。
【００３０】
上記各揉みローラ２２Ｌ、２２Ｒや回転ローラ１６は布製のカバーシート３５で覆われ、このカバーシート３５を介して足等の被施療部位を揉みローラ２２Ｌ、２２Ｒで挟み揉みしたり、回転ローラ１６の刺激用突部２０により刺激を与えてマッサージする。
【００３１】
本発明は、このカバーシート３５の取り付け方に関し、以下詳述する。
【００３２】
カバーシート３５は図４に示すように方形状をしており、相対向する２辺は筒５４になっており、この筒５４内に紐５５が挿通されている。残りの２辺には周知のファスナー５６が逢着され、互いに連結できる
カバーシート３５を装着するには、紐５５を有する２辺を前記取付フランジ５２と取付ベース２、３との間隙に挿入して紐５５を取付フランジ５２の根本に当たる前記短寸の筒体５１上に沿わせながらカバーシート３５を揉みローラ２２Ｌ、２２Ｒ、回転ローラ１６、それにカバー３６の外側に被せ、紐５５の両端部とファスナー５６を本体ケース１の裏側にもってくる。そして紐５５の両端部を締め付ける。紐５５の一端側には図４に示すような周知のコードストッパー５７が取り付けられており、紐の締め付けは、紐５５の他端側をコードストッパー５７に挿入してコードストッパー５７を同図で矢印Ａ方向に移動させて締め上げ、最後は摘み５８を矢印Ａ方向にスライドさせて、弛まないようにすることで完了する。
【００３３】
さらに、前記連結部５３を覆った残り２辺のファスナー５６を連結する。この連結状態では、ファスナー５６の摘み５９が図４において右側にくる。
【００３４】
取付ベース２、３の裏側には、図６に示すような収納凹部６０が一体に形成されている。この凹部６０の開口は蓋６１で塞がれる。蓋６１はその一端側の両側より突設された軸６２が凹部６０の開口縁に形成された軸穴６３に枢支されて回動自在になっており、蓋６１の他端側に垂設された係合爪６４を連結部５３に形成した係合穴６５に係着することにより凹部６０を塞ぐ（図９、図１０状態）。
【００３５】
このような凹部６０に紐５５の締め付け処理部であるコードストッパー５７を収納し、さらに、取付ベース２、３に形成した凹部６０のうちいづれか一方の凹部（図では取付ベース２側に形成した凹部）には、連結状態のファスナー５６の摘み５９が位置する側を摘みごと収納する（図７、図８状態）。そして、上述の如く蓋６１で凹部６０を塞ぐ。カバーシート３５には蓋の係合爪６４が挿入される係止穴６６が形成されており、凹部６０を蓋６１で塞ぐ際に、この係合爪６４が係止穴６６を通って係合穴６５に係着する（図９、図１０状態）。
【００３６】
従って、カバーシート３５は、蓋６１と係合することになり、カバーシート３５が揉みローラ２２Ｌ、２２Ｒ、回転ローラ１６の回転に追随して回転しようとしても阻止され、マッサージ中に位置ズレを起こすことがない。
【００３７】
また、紐５５の締め付け処理部であるコードストッパー５７や連結状態のファスナー５６の摘み５９等が収納凹部６０内に収納されて隠れるので、外観上見栄えが良くなる。
【００３８】
カバーシート３５の取り外しは、蓋６１の係合爪６４と係合穴６５の係合を外すことにより蓋を開けて、凹部６０よりコードストッパー５７やファスナー５６の摘み５９を取り出して、紐５５を弛め且つファスナー５６の連結を外すことにより簡単に行える。係合爪６４と係合穴６５の係合の解除は、カバーシートに設けた係止穴６６を介して係合穴６５にコイン等を挿入して行う。
【００３９】
上述の如く図７や図８は蓋６１を外した状態を示し、図９や図１０それに図３や図６は蓋で凹部６０を塞いだ状態を示す。なお図３、図６、図７それに図９では、カバーシート３５を分かりやすくするために太い実線及び破線で示した。また、図５や図６ではカバーシート３５とカバー３６や連結部５３との間に分かりやすいように隙間を設けてある。
【００４０】
以上の実施例では、カバーシート３５の紐５５を有する２辺以外の２辺をファスナー５６で連結したが、ボタンのようなもので連結してもよい。また、紐の締め付けにコードストッパー５７を用いたが、普通に結んで締め付けても良い。このようにしても、前記蓋の係合爪６４とカバーシートの係止穴６６の係合によりカバーシートの回転方向の位置ズレが起きないので、使用中に結び目が弛みにくい。
【００４２】
【発明の効果】
本願の請求項１の発明によれば、方形状のカバーシートの２辺は紐によって取り付けられるので、装着が簡単であり、この紐の締め付け処理部は、蓋で覆い隠された凹部内に収納されるので、外から見えず見栄えが良くなると共に、蓋がカバーシートと係合してその動きを確実に規制することによって、カバーシートが施療ローラの回転に追随して回転しようとするのを阻止でき、カバーシートが運転中に位置ズレを起こすことがなく安定した取付状態を保てる。従って、マッサージ感触も良好に保つことができ、また、カバーシートの紐のない残りの２辺の連結も連結方法に拘わらず外れにくくなる。
【００４３】
また、請求項２の発明によれば、コードストッパーにより紐の締め付けを行っているので、紐の締め付けやその解除が簡単にできる。
【００４４】
また、請求項３の発明によれば、蓋は回動という簡単な操作で取り付けることができ、この際に同時にカバーシートと係合してカバーシートの位置ズレを阻止することができ、操作が簡単になる。
【００４５】
また、請求項４の発明によれば、カバーシートの残りの２辺をファスナーで連結するので、紐の締め付けと相まってカバーシートを簡単に装着できる。
【００４６】
また、請求項５の発明によれば、連結状態にあるファスナーの端部に位置する摘みを隠すことができ、一層見栄えを良くできる。
【図面の簡単な説明】
【図１】本発明のマッサージ機の平面横断面図である。
【図２】同マッサージ機の図１のＸ−Ｘ線に基づく縦断面図である。
【図３】同マッサージ機を上下反転させての底面側から視た図である。
【図４】同マッサージ機に使用されるカバーシートの展開図である。
【図５】同マッサージ機の回転ローラ部分を通る駆動軸と直交する線に基づく縦断面図である。
【図６】同マッサージ機の図３のＹ−Ｙ線に基づく縦断面図である。
【図７】同マッサージ機の蓋を外した状態の要部底面図である。
【図８】同状態の縦断面図である。
【図９】同マッサージ機の蓋で凹部を塞いだ状態の要部底面図である。
【図１０】同状態の縦断面図である。
【符号の説明】
１      本体ケース
２      取付ベース
３      取付ベース
９      駆動軸
１６      回転ローラ（施療ローラ）
２２Ｌ    揉みローラ（施療ローラ）
２２Ｒ    揉みローラ（施療ローラ）
５２      取付フランジ
５１      筒体（取付フランジの根本）
３５      カバーシート
５５      紐
５７      コードストッパー（締め付け処理部）
６０      凹部
６１      蓋
６４      係合爪
６６      係止穴
６５      係合穴
５６      ファスナー
５９      摘み
【図１】
0003553844.tif 000002
【図２】
0003553844.tif 000003
【図３】
0003553844.tif 000004
【図４】
0003553844.tif 000005
【図５】
0003553844.tif 000006
【図６】
0003553844.tif 000007
【図７】
0003553844.tif 000008
【図８】
0003553844.tif 000009
【図９】
0003553844.tif 000010
【図１０】
0003553844.tif 000011